(57)【要約】【課題】  利用者の存在の有無を認識して、自動的に照明器具の点灯および／または調光制御を行うにあたって、特に多灯で構成されるシステムで好適であり、利用者付近の比較的狭小な範囲を、適切に点灯および／または調光制御する。【解決手段】  従来では、熱線センサのように器具側がアクティブに検知を行ったり、リモコンなどで利用者がアクティブに存在を知らせたりすることがあったが、本発明では、照明器具Ｌに照明制御装置４を設け、この照明制御装置４からの探索信号に応答して、利用者が携帯するＩＤカード２が定期的に無線通信を行い、通信を行っている期間は、照明手段３を点灯および／または調光制御する。したがって、利用者が意識しないうちに、利用者側からアクティブとする信号を用いて点灯および／または調光制御するので、利用者の動きがなくても、また利用者が意識することなく、適切に制御を行うことができる。【選択図】      図１
2005259429.tif 000002
【特許請求の範囲】
【請求項１】
照明器具に搭載され、または前記照明器具の近傍に設けられる受信制御手段と、携帯可能であって、前記受信制御手段と予め定める周期で定期的に無線通信を行う識別装置とを含んで構成され、前記受信制御手段は、前記識別装置と通信を行っている期間は、照明手段を点灯および／または調光制御することを特徴とする照明器具。
【請求項２】
前記識別装置は、
該識別装置に固有の識別情報を記憶している第１の記憶手段と、
前記受信制御手段からの探索信号を受信する第１の受信手段と、
前記第１の受信手段で前記探索信号を受信すると、前記第１の記憶手段に記憶している識別情報を含めた探索返信信号を送信する第１の送信手段とを備えて構成されるＩＤカードから成り、
前記受信制御手段は、
前記予め定める周期で定期的に探索信号を送信する第２の送信手段と、
前記探索信号に応答した識別装置からの前記探索返信信号を受信する第２の受信手段と、
前記照明手段の点灯および／または調光制御を許容する識別装置の識別情報を記憶している第２の記憶手段と、
前記第２の受信手段によって前記探索返信信号が受信されると、その受信された探索返信信号の識別情報を前記第２の記憶手段に記憶している識別情報と比較し、一致する場合には前記照明手段を点灯および／または調光制御する照明制御手段とを備えて構成されることを特徴とする請求項１記載の照明器具。
【請求項３】
前記照明制御手段は、少なくとも前記第２の受信手段からの出力を用いて照明器具から利用者までの距離を検出し、その検出結果に基づいて前記照明手段を点灯および／または調光制御することを特徴とする請求項２記載の照明器具。
【請求項４】
前記受信制御手段は、他の照明器具との間で、各照明器具から利用者までの距離の情報および制御信号をやりとりする器具間通信手段をさらに備え、
前記照明制御手段は、前記器具間通信手段で得られた距離情報に応答して、自機が利用者に最も近い場合は自機が主機となって、前記器具間通信手段を通して前記近隣の他の照明器具へ制御信号を送信して点灯および／または調光制御を行い、そうでない場合は従機となって、前記器具間通信手段を通して与えられる制御信号に応答して、点灯および／または調光制御を行うことを特徴とする請求項３記載の照明器具。
【請求項５】
前記器具間通信手段は、隣接する照明器具の器具間通信手段との間で通信を行うことを特徴とする請求項４記載の照明器具。
【請求項６】
前記受信制御手段において、前記第２の受信手段にゲイン可変のアンプを備え、および／または前記識別情報の比較閾値を有するとともに、設定手段をさらに備え、設定モードとなると、前記設定手段は、前記第２の受信手段による前記探索返信信号の受信結果を前記器具間通信手段を通じて各照明器具間で相互に送受信させ、予め定める範囲の照明器具で前記識別情報の一致判定が得られるように、前記第２の受信手段のアンプにおけるゲインおよび／または比較閾値を調整することを特徴とする請求項４または５記載の照明器具。
【請求項７】
前記受信制御手段において、故障判定手段をさらに備え、該故障判定手段は、前記器具間通信手段を通じて、相互に隣接する照明器具間で通信を行い、通信できないものがあると故障が発生していると判定することを特徴とする請求項４〜６のいずれか１項に記載の照明器具。
【請求項８】
前記請求項４〜７のいずれか１項に記載の照明器具を複数台備えて成ることを特徴とする照明制御システム。
【発明の詳細な説明】
【技術分野】
【０００１】
本発明は、照明手段の点灯および／または調光制御を行うことができる照明器具および照明制御システムに関する。
【背景技術】
【０００２】
利用者の存在の有無を認識して、照明器具の前記点灯および／または調光制御を行う手法としては、大略的に、熱線センサなどの人感センサを設けることで、器具側がアクティブに利用者の検知を行ったり、リモコンを用いて、利用者がアクティブに存在を知らせるという２つの手法が従来から用いられている。
【０００３】
たとえば、特許文献１には、或る照明器具の人感センサで人を検知すると、送信部から赤外線を送信し、受信した他の照明器具も照明手段を点灯することで、複数の照明器具で、アドレス設定および配線作業が不要な照明制御システムが提案されている。
【０００４】
また、特許文献２には、リモコンに照度センサと人感センサとを設けることで、複数の照明器具に人感センサを設けなくて済むようにした照明制御システムが提案されている。
【０００５】
さらにまた、特許文献３には、リモコンと照明器具との両方に送受信機能を持たせ、リモコン側からチャネル確認コードを送信すると、照明器具はその受信機のチャネル設定値を返信し、リモコン側で表示させ、そのチャネル設定値で制御信号を送信することで、設定用スイッチを設けることなく、受信チャネルの設定機能を持たせるようにしたリモコン付照明装置が提案されている。
【特許文献１】特許第３４３３６０８号公報
【特許文献２】特開平８−３１５７６号公報
【特許文献３】特開平７−１２２３６８号公報
【発明の開示】
【発明が解決しようとする課題】
【０００６】
上述の各従来技術では、確かに、利用者の存在の有無を認識して、照明器具の点灯および／または調光制御を行うことができる。しかしながら、前記人感センサを用いて、器具側がアクティブに検知を行う手法では、多少の遅延時間を設定できたとしても、利用者の動きがなくなると、利用者の存在を確認できず、消灯してしまう。このため、利用者が通過する廊下などでの用途や、防犯灯などの用途にしか使用できず、デスクワーク等の動きの少ない利用者を検知するためには、使用することができないという問題がある。
【０００７】
一方、前記リモコンを用いて、利用者がアクティブに存在を知らせる手法では、利用者が自発的に制御する必要があるので、消し忘れなどが生じたりして、適切に制御できないという問題がある。また、前記リモコンによって、フロア全体や一部のブロックが纏めて制御されるので、利用者付近だけというような狭小な範囲の制御が困難であるとともに、オフィスの模様替えなどによって制御対象の照明器具の組合わせが変わっても、一旦設置した後は、システムの組換えが困難であるという問題もある。
【０００８】
本発明の目的は、利用者の動きがなくても、また利用者が意識することなく、利用者付近の比較的狭小な範囲を、適切に点灯および／または調光制御することができる照明器具および照明制御システムを提供することである。
【課題を解決するための手段】
【０００９】
本発明の照明器具は、照明器具に搭載され、または前記照明器具の近傍に設けられる受信制御手段と、携帯可能であって、前記受信制御手段と予め定める周期で定期的に無線通信を行う識別装置とを含んで構成され、前記受信制御手段は、前記識別装置と通信を行っている期間は、照明手段を点灯および／または調光制御することを特徴とする。
【００１０】
上記の構成によれば、利用者の存在の有無を認識して、自動的に照明器具の点灯および／または調光制御を行うにあたって、照明器具自体またはその近傍に受信制御手段を設け、この受信制御手段からの探索信号に応答するなどして、利用者が携帯する識別装置は、定期的にこの受信制御手段と無線通信を行っており、前記受信制御手段は、前記識別装置と通信を行っている期間は、照明手段を点灯および／または調光制御する。前記点灯および／または調光制御とは、点灯／消灯のみの制御だけでもよく、さらに距離などを認識して輝度を制御（調光）することまで行ってもよく、または常時点灯状態で、利用者が存在する場合には輝度をアップする等の調光制御のみを行ってもよいことを示す。
【００１１】
したがって、本発明では、利用者が意識しないうちに、利用者側からアクティブとする信号を用いて点灯および／または調光制御するので、利用者の動きがなくても、また利用者が意識することなく、該利用者の存在の有無を照明器具側で認識でき、利用者付近の比較的狭小な範囲を、適切に点灯および／または調光制御することができる。
【００１２】
また、本発明の照明器具では、前記識別装置は、該識別装置に固有の識別情報を記憶している第１の記憶手段と、前記受信制御手段からの探索信号を受信する第１の受信手段と、前記第１の受信手段で前記探索信号を受信すると、前記第１の記憶手段に記憶している識別情報を含めた探索返信信号を送信する第１の送信手段とを備えて構成されるＩＤカードから成り、前記受信制御手段は、前記予め定める周期で定期的に探索信号を送信する第２の送信手段と、前記探索信号に応答した識別装置からの前記探索返信信号を受信する第２の受信手段と、前記照明手段の点灯および／または調光制御を許容する識別装置の識別情報を記憶している第２の記憶手段と、前記第２の受信手段によって前記探索返信信号が受信されると、その受信された探索返信信号の識別情報を前記第２の記憶手段に記憶している識別情報と比較し、一致する場合には前記照明手段を点灯および／または調光制御する照明制御手段とを備えて構成されることを特徴とする。
【００１３】
上記の構成によれば、前述のような利用者の動きがなくても、また利用者が意識することなく、該利用者の存在の有無を照明器具側で認識できるようにするにあたって、前記識別装置を、該識別装置に固有の識別情報を記憶している第１の記憶手段と、前記受信制御手段からの探索信号を受信する第１の受信手段と、前記第１の受信手段で前記探索信号を受信すると、前記第１の記憶手段に記憶している識別情報を含めた探索返信信号を作成して送信するとともに、好ましくは返信用の電力を作成する第１の送信手段とを備え、いわゆる無線タグの近距離無線通信技術を用いるＩＤカードとし、これに対応して前記受信制御手段を、前記予め定める周期で定期的に探索信号を送信する第２の送信手段と、前記探索信号に応答した識別装置からの前記探索返信信号を受信する第２の受信手段と、前記照明手段の点灯および／または調光制御を許容する識別装置の識別情報を記憶している第２の記憶手段と、前記第２の受信手段によって前記探索返信信号が受信されると、その受信された探索返信信号の識別情報を前記第２の記憶手段に記憶している識別情報と比較し、一致する場合には前記照明手段を点灯および／または調光制御する照明制御手段とを備える。
【００１４】
したがって、前述のような利用者の動きがなくても、また利用者が意識することなく、該利用者の存在の有無を照明器具側で認識し、照明手段の点灯および／または調光制御を行うことができる構成を、具体的に実現することができる。
【００１５】
さらにまた、本発明の照明器具では、前記照明制御手段は、少なくとも前記第２の受信手段からの出力を用いて照明器具から利用者までの距離を検出し、その検出結果に基づいて前記照明手段を点灯および／または調光制御することを特徴とする。
【００１６】
上記の構成によれば、前記照明制御手段は、前記第２の送信手段から前記探索信号が送信されてから前記第２の受信手段で前記探索返信信号が受信されるまでの時間差および／または第２の受信手段で得られる前記探索返信信号の受信電界強度レベルなどから、照明器具から利用者までの距離を検出し、その検出結果に基づいて、たとえば該照明器具が利用者に比較的近い位置にある場合にはフル点灯し、比較的遠い位置にある場合には輝度を落とすなどの調光制御を行う。
【００１７】
したがって、たとえば利用者付近の照度を確保しつつ、省エネルギ化を進めるといった照明器具と利用者との距離に応じた細かな調光制御を行うことができる。
【００１８】
また、本発明の照明器具では、前記受信制御手段は、他の照明器具との間で、各照明器具から利用者までの距離の情報および制御信号をやりとりする器具間通信手段をさらに備え、前記照明制御手段は、前記器具間通信手段で得られた距離情報に応答して、自機が利用者に最も近い場合は自機が主機となって、前記器具間通信手段を通して前記近隣の他の照明器具へ制御信号を送信して点灯および／または調光制御を行い、そうでない場合は従機となって、前記器具間通信手段を通して与えられる制御信号に応答して、点灯および／または調光制御を行うことを特徴とする。
【００１９】
上記の構成によれば、総ての照明器具の受信制御手段が利用者の携帯する識別装置との間で通信が可能になる可能性は少ないので、利用者に最も近い照明器具が主体となって、器具間通信手段によって接続された他の照明器具に対して点灯および／または調光制御を行う。前記器具間通信手段は、近距離無線通信手段や、電力線通信手段などで実現される。
【００２０】
したがって、全体の照明器具の制御を統括する手段を設けなくても、分散している各照明器具の内、利用者に最も近い照明器具が主体となって、自律分散型のネットワークを構築し、利用者の直上付近だけでなく、周辺も適切に（利用者までの距離に応じた段階的な調光等のバランスの取れた）点灯および／または調光制御を行うことができる。
【００２１】
さらにまた、本発明の照明器具では、前記器具間通信手段は、隣接する照明器具の器具間通信手段との間で通信を行うことを特徴とする。
【００２２】
上記の構成によれば、各照明器具の器具間通信手段は、隣接する照明器具の器具間通信手段との間で、パイプライン式に通信を行う。すなわち、たとえば各照明器具がマトリクス状などに配列される場合には、同じ行番号で、列番号が前後の照明器具の器具間通信手段との間で通信を行い、および／または同じ列番号で、行番号が前後の照明器具の器具間通信手段との間で通信を行う。
【００２３】
したがって、各器具間通信手段間のトラヒックが減少して信号の衝突が起る可能性が減少し、通信プロトコルを細かに規定する等の前記衝突を防止するための対策を簡略化することができる。
【００２４】
また、本発明の照明器具では、前記受信制御手段において、前記第２の受信手段にゲイン可変のアンプを備え、および／または前記識別情報の比較閾値を有するとともに、設定手段をさらに備え、設定モードとなると、前記設定手段は、前記第２の受信手段による前記探索返信信号の受信結果を前記器具間通信手段を通じて各照明器具間で相互に送受信させ、予め定める範囲の照明器具で前記識別情報の一致判定が得られるように、前記第２の受信手段のアンプにおけるゲインおよび／または比較閾値を調整することを特徴とする。
【００２５】
上記の構成によれば、前記受信制御手段において、前記第２の受信手段にゲイン可変のアンプを備え、および／または前記識別情報の比較閾値を設定するようにしておき、すなわち識別装置からの探索返信信号に対する感度を調整可能とする。そして、設定手段を設け、たとえば照明器具に設けた設定スイッチの操作や前記識別装置からの設定モード信号の送信などによって設定モードに切換えられるようにしておき、設定モードとなると、前記設定手段は、前記第２の受信手段による前記探索返信信号の受信結果を前記器具間通信手段を通じて各照明器具間で相互に送受信させ、予め定める範囲の照明器具で前記識別情報の一致判定が得られるように、前記第２の受信手段のアンプにおけるゲインと識別情報の比較閾値との少なくとも一方を調整する。
【００２６】
したがって、利用者が存在する場合に、その利用者に最も近接した照明器具を中心として、予め定める前記のような狭小な範囲の照明器具で点灯および／または調光制御が行われるようにするにあたって、前記第２の受信手段のアンプにおけるゲインおよび／または識別情報の比較閾値を、自動的に適正値に調整することができ、調整作業が容易である。
【００２７】
さらにまた、本発明の照明器具では、前記受信制御手段において、故障判定手段をさらに備え、該故障判定手段は、前記器具間通信手段を通じて、相互に隣接する照明器具間で通信を行い、通信できないものがあると故障が発生していると判定することを特徴とする。
【００２８】
上記の構成によれば、各照明器具の受信制御手段に故障判定手段をさらに設け、故障診断を行わせる。具体的には、前記故障判定手段は、前記器具間通信手段を通じて、相互に隣接する照明器具間で通信を行い、通信できないものがあると、故障が発生していると判定する。その故障判定結果の出力は、たとえば専用の読出しツールを特定の照明器具の前記故障判定手段に接続することで行われてもよく、また各照明器具に故障表示用のランプなどの表示手段を設けておき、前記故障が発生していると思われる照明器具の回りの照明器具で前記ランプを点灯することで行われてもよく、さらにまたランプや放電灯などの照明手段自体を点灯することで行われてもよい。
【００２９】
これによって、メンテナンス作業の負担を軽減することができる。
【００３０】
また、本発明の照明制御システムは、前記の照明器具を複数台備えて成ることを特徴とする。
【００３１】
上記の構成によれば、前記器具間通信手段を用いて、他の照明器具との間で連携して、前記自律分散型のネットワークを構築し、前記のような利用者付近の比較的狭小な範囲を、適切に点灯および／または調光制御することができる照明制御システムを実現することができる。
【発明の効果】
【００３２】
本発明の照明器具は、以上のように、利用者の存在の有無を認識して、自動的に照明器具の点灯および／または調光制御を行うにあたって、照明器具自体またはその近傍に受信制御手段を設け、この受信制御手段からの探索信号に応答するなどして、利用者が携帯する識別装置が定期的にこの受信制御手段と無線通信を行っており、前記受信制御手段が、前記識別装置と通信を行っている期間は、照明手段を点灯および／または調光制御する。
【００３３】
それゆえ、利用者が意識しないうちに、利用者側からアクティブとする信号を用いて点灯および／または調光制御するので、利用者の動きがなくても、また利用者が意識することなく、該利用者の存在の有無を照明器具側で認識でき、利用者付近の比較的狭小な範囲を、適切に点灯および／または調光制御することができる。
【００３４】
また、本発明の照明制御システムは、以上のように、器具間通信手段を備える前記の照明器具を複数台備えて成る。
【００３５】
それゆえ、前記器具間通信手段を用いて、他の照明器具との間で連携して、前記自律分散型のネットワークを構築し、前記のような利用者付近の比較的狭小な範囲を、適切に点灯および／または調光制御することができる照明制御システムを実現することができる。
【発明を実施するための最良の形態】
【００３６】
［実施の形態１］
図１は、本発明の実施の一形態に係る照明制御システムの電気的構成を示すブロック図である。この照明制御システムは、大略的に、多数の照明器具Ｌ１，Ｌ２，‥（総称するときは、以下参照符号Ｌで示す）が、通信路１によって相互に接続されるとともに、その照明器具Ｌが、識別装置であるＩＤカード２と通信を行うことで、点灯および／または調光制御を行うように構成されている。各照明器具Ｌには、図示しない電源線によって電力供給が行われる。各照明器具Ｌは、放電灯やランプなどの照明手段３に、その点灯および／または調光制御を行い、受信制御手段である照明制御装置４を備えて構成される。
【００３７】
前記ＩＤカード２は、利用者によって携帯され、たとえば図２で示すような外観形状を有する名札状のＩＤカードから成り、図３で示すように構成されている。すなわち、FlashROMなどの不揮発性メモリおよびその周辺回路などから成る記憶部１１と、マイクロコンピュータおよびその周辺回路などから成る処理部１２と、たとえば１３．５６ＭＨｚや１３．７５ＭＨｚの無線タグの無線通信技術などを用いて構成される送信部１４および電波受信部１５とを備えて構成される。
【００３８】
一方、前記各照明器具Ｌは、たとえば図４で示すような外観形状を有し、前記照明制御装置４は、図５で示すように構成されている。すなわち、FlashROMなどの不揮発性メモリおよびその周辺回路などから成る記憶部２１と、マイクロコンピュータおよびその周辺回路などから成り、前記記憶部２１に保存されたプログラムを読出して実行する処理部２２と、前記照明手段３の点灯／消灯を制御することができるとともに、輝度を変化させることができる照明制御部２３と、前記無線タグの無線通信技術などを用いて構成される送信部２４および電波受信部２５と、電力線通信やBluetooth（登録商標）等の近距離無線通信技術などを用いて構成され、前記通信路１を介して他の照明器具と通信を行う通信部２７と、熱線センサなどから成る人感センサ２８とを備えて構成される。
【００３９】
照明制御手段である処理部２２は、人感センサ２８からの出力に応答して、人の存在が検知されたときには、前記照明制御部２３を介して照明手段３を点灯および／または調光制御する。また、処理部２２は、大略的に、後述するように記憶部２１に記憶されているプログラムやテーブルなどに従って、予め定める周期で、前記ＩＤカード２へ向けて、第２の送信手段である送信部２４から、後述する探索信号を送信している。それに応答してＩＤカード２からの探索返信信号が第２の受信手段である電波受信部２５において予め定める閾値以上の強度で受信されると、処理部２２は、その探索返信信号中の識別情報（以下、ＩＤと言う）を第２の記憶手段である記憶部２１に記憶されている前記照明手段３の点灯および／または調光制御を許容すべきＩＤと比較し、一致する場合には、前記照明制御部２３を介して照明手段３を点灯および／または調光制御する。さらにまた、処理部２２は、器具間通信手段である通信部２７を通して近隣の他の照明器具との間で通信を行い、その近隣の他の照明器具にも連動して、後述するような照明手段３の点灯および／または調光制御を行わせる。こうして、全体の照明器具Ｌを統括制御する手段を設けなくても、分散している照明器具Ｌの内、最もＩＤカード２、したがって利用者に近い照明器具が主体となって、該利用者の直上だけでなく、周辺も合わせて点灯および／または調光制御を行うことができる自律分散型の照明制御システムが構築されている。
【００４０】
前記ＩＤカード２の処理部１２は、第１の受信手段である電波受信部１５で前記照明制御装置４からの探索信号を受信すると、第１の記憶手段である記憶部１１に記憶している自己のＩＤを読出し、該ＩＤを含めた前記探索返信信号を、第１の送信手段である送信部１４から前記照明制御装置４へ返信する。
【００４１】
このＩＤカード２は、前記無線タグの技術を用い、電源を搭載しておらず、前記照明制御装置４からの探索信号を受信することで前記電波受信部１５で起電力を得て、各部へ供給するが、電源を搭載するようにしてもよい。また、利用者の識別に用いる手段は、ＩＤカードに限らず、照明器具Ｌ側での受信電界強度が弱く、利用者が近くにいることを認識できるものであればよい。たとえば、工場内で使用されるＰＨＳ（パーソナルハンディフォンシステム）端末やＰＤＡ（パーソナルデータアシスタント）端末などのように、公衆回線とは異なり、多くの利用者で共通の識別情報を使用するようなものが望ましく、利用者の増加のたびに、照明器具Ｌ側で、記憶部２１に記憶しているＩＤを書込む必要がなく、煩雑な識別処理の必要のないもので、利用者によって携帯されるものが望ましい。
【００４２】
前記照明器具Ｌにおいて、送信部２４や電波受信部２５は、該照明器具Ｌに一体で設けられていなくてもよく、近傍に別途設けられていてもよい。また、照明手段３と照明制御装置４とが分離されていてもよい。ＩＤカード２との通信品質を確保したり、意匠的な点から、このように照明器具Ｌに総ての構成が一体で搭載されている必要はなく、ＩＤカード２からの探索返信信号を受信する電波受信部２５が、対を成す照明器具Ｌの近傍に設けられていればよい。
【００４３】
以下に、本実施の形態における動作の概要を説明する。
【００４４】
先ず、照明制御手段である処理部２２は、少なくとも第２の受信手段である電波受信部２５からの出力を用いて、照明器具Ｌから利用者までの距離を検出し、その検出結果に基づいて前記照明手段３を点灯および調光制御する。前記距離の検出は、第２の送信手段である送信部２４から前記探索信号が送信されてから、前記電波受信部２５で前記探索返信信号が受信されるまでの時間差および／または電波受信部２５で得られる前記探索返信信号の受信電界強度レベルなどから求めることができる。前記調光制御の態様は、該照明器具Ｌが利用者に比較的近い位置にある場合にはフル点灯し、比較的遠い位置にある場合には輝度を落とすというものである。これによって、利用者付近の照度を確保しつつ、省エネルギ化を進めるといった照明器具Ｌと利用者との距離に応じた細かな調光制御を行うことができるようになっている。
【００４５】
また、処理部２２は、器具間通信手段である通信部２７を介して、近隣の他の照明器具との間で、各照明器具Ｌから利用者までの距離を表す情報である受信電界強度通知信号および後述する各種の制御信号をやりとりし、得られた受信電界強度の情報から、自機が利用者に最も近い場合は自機が主機となって、前記通信部２７を通して前記近隣の他の照明器具へ、前記制御信号の１種である調光指示信号を送信して調光制御を行い、そうでない場合は従機となって、前記通信部２７を通して与えられる調光指示信号に応答して、調光制御を行う。したがって、総ての照明器具Ｌの送信部２４および電波受信部２５が利用者の携帯するＩＤカード２との間で通信が可能になる可能性は少なくても、上述のように、全体の照明器具Ｌの制御を統括する手段を設けることなく、分散している各照明器具Ｌの内、利用者に最も近い照明器具が主体となって、自律分散型のネットワークを構築し、利用者の直上付近だけでなく、周辺も適切に（利用者までの距離に応じた段階的な調光等のバランスの取れた）調光制御を行うことができるようになっている。
【００４６】
さらにまた、器具間通信手段である前記通信部２７は、各照明器具Ｌによる探索返信信号の受信電界強度などは、システム全体の照明器具Ｌとの間でデータのやりとり（ブロードキャスト送信）を行うが、前記調光指示信号は、隣接する照明器具との間で通信する。このため、記憶部２１には各照明器具Ｌ間の距離テーブルが格納されており、自機が利用者に最も近い場合、制御を行うべき範囲の照明器具の距離情報を含む調光指示信号を、自機の前後の照明器具から順に経由して、最終段の照明器具に伝達させる。したがって、前記のように従機となって前記調光指示信号を受信した場合、その調光指示信号の送信元と自機との距離を前記距離テーブルを参照して読出し、読出した結果を送信されてきた調光指示信号の距離情報から減算し、結果が０ではない場合、次の照明器具へ減算した距離情報を送信する。このようなパイプライン式の動作を繰返すことで、比較的狭い範囲の調光制御の場合に好適で、各照明器具Ｌ間のトラヒックを減少させて信号の衝突が起る可能性を減少させ、通信プロトコルを細かに規定する等の前記衝突を防止するための対策を簡略化しつつも、主機からの距離に応じた適切な（バランスの取れた）調光制御を行うことができるようになっている。また、各照明器具Ｌの記憶部２１に要するデータ容量を少なくすることができる。なお、器具台数が少ないなどの理由で、トラヒックに問題がなければ、主機となる照明器具が、直接最終段までの照明器具を制御するようにしてもよい。
【００４７】
また、処理部２２は、上述のように、伝達されてきた調光指示信号から、自機が制御範囲内であり、さらに最終段の照明器具でないと判断した場合は、次段の照明器具へ調光指示信号を伝達するが、その次段の照明器具に、ランプ切れや器具故障などが発生して、前記調光指示信号に対する応答がない場合には、自機が代理の主機となって、隣接する他の照明器具に対して、前記制御信号の１種である代理制御指示信号を、他の照明器具に向けて一斉にブロードキャスト送信し、輝度の指示レベルをアップさせたり、制御範囲を拡げるなどの変更を行うことで、前記ランプ切れや器具故障などの不具合に対しても、他の照明器具によって補償を行うようになっている。
【００４８】
以下に、上述の各動作について、詳述する。先ず、前記図４に示すような形状の照明器具Ｌが、図６に示すように、３行×３列のマトリクス状に配置されているものとする。各行および各列間の間隔が、たとえば２ｍの等間隔であるとき、前記記憶部２１に格納される前記距離テーブルの内容は、表１に示すようになる。
【００４９】
【表１】
2005259429.tif 000003
【００５０】
この表１は、各照明器具Ｌが主機となった場合に、直接制御する照明器具（制御対象範囲）を、すぐ隣に隣接しているものだけ（器具間距離が２ｍまで）とした例を示しており、したがって図６で示す３行×３列の場合、最も制御する台数が多い中心位置の照明器具Ｌ５でも、Ｌ２，Ｌ４，Ｌ６，Ｌ８の４台である。また、前記主機からの距離に応じて、照明制御範囲の輝度を段階的に調光制御するようにした場合の制御内容の一例を表２に示す。
【００５１】
【表２】
2005259429.tif 000004
【００５２】
この表２の例では、照明制御範囲を、たとえば６ｍとすると、主機は１００％点灯し、主機から４ｍまで（すなわち、２ｍ，４ｍ）は７０％点灯し、主機から６ｍで３０％点灯となり、それ以遠では消灯となる。ただし、器具故障によって、その故障している器具の上流（親）側となる器具から代理制御の指示があり、その故障している器具が自機の制御対象範囲にある場合には、１００％で代理点灯する。
【００５３】
図７〜図１５は、上述の動作をさらに詳しく説明するためのフローチャートである。これらの図を用いて、以下に、本実施の形態における動作を詳しく説明する。
【００５４】
先ず、図７は、前記処理部２２による照明器具Ｌの全体の制御動作を説明するものである。ステップＳ１では、電波受信部２５で、自機が直接ＩＤカード２からの探索返信信号を受信し、かつそのＩＤが前回の受信タイミングで受信されていない新規のＩＤカードのものである新規直接受信ＩＤであるか否かが判断され、探索返信信号が受信されないとき、および受信されても既に受信されているＩＤカードからの探索返信信号である場合はステップＳ２に移る。ステップＳ２では、現在調光制御中のＩＤの中に、後述するような制御終了対象ＩＤがあるか否かが判断され、ない場合はステップＳ３に移り、通信部２７で他の照明器具からの信号を受信したか否かが判断され、受信されないときにはステップＳ４に移る。ステップＳ４では、送信部２４からの予め定める周期の探索信号の送信タイミングになったか否かが判断され、そうでないとき、すなわち何も変化がない場合は前記ステップＳ１に戻って上述の処理を繰返し、何らかの変化が生じるまで待機する。
【００５５】
前記ステップＳ４で探索信号の送信タイミングになると、ステップＳ５のＩＤカード２の探索処理に移る。図８は、そのＩＤカード２の探索処理を詳しく説明するためのフローチャートである。先ず、ステップＳ１１で探索信号を送信し、ステップＳ１２で探索返信信号が受信されたか否かが判断され、受信されないときにはステップＳ１３で、予め設定されている前記探索信号の送信から前記探索返信信号を待受ける待ち時間が終了したか否かが判断され、待ち時間が経過していないときには前記ステップＳ１２に戻り、探索返信信号の待受けを継続する。
【００５６】
これに対して、前記ステップＳ１２で探索返信信号が受信されると、ステップＳ１４に移り、その探索返信信号中のＩＤが、記憶部２１に記憶されている現在調光制御中のＩＤを格納した制御中ＩＤテーブル中に含まれているか否かが判断され、含まれていない場合には前記新規直接受信ＩＤとして、ステップＳ１５において前記記憶部２１に記憶され、前記ステップＳ１３に移る。前記ステップＳ１４において、受信された探索返信信号中のＩＤが前記制御中ＩＤテーブル中に含まれている場合にはステップＳ１６に移り、その制御中ＩＤテーブルにおいて、前記ＩＤに対応付けて記憶されている受信電界強度（前記電波受信部２５で測定）に対して、今回受信された探索返信信号の受信電界強度が予め定める規定値以上変化したか否かが判断され、変化している（利用者が移動している）場合は、前記ステップＳ１５に移って、そのＩＤが前記新規直接受信ＩＤとして前記記憶部２１に更新して記憶された後、前記ステップＳ１３の待ち時間判定が行われ、前記規定値以上変化していない（利用者の移動のない）場合は、前記ＩＤの更新は行われず、直接前記ステップＳ１３の待ち時間判定に移る。
【００５７】
前記ステップＳ１３で、規定の待ち時間が終了するとステップＳ１７に移り、前記制御中ＩＤテーブルから、前記新規直接受信ＩＤもしくは後述する継続制御対象ＩＤのいずれでもないＩＤを前記制御終了対象ＩＤに設定して、ＩＤカード２の探索処理を終了する。
【００５８】
一方、前記ステップＳ１において、新規直接受信ＩＤがある場合はステップＳ６に移り、自機が前記主機（マスター）となるべきか、前記従機（スレーブ）となるべきかを判定するマスター決定処理を行い、その判定の結果をステップＳ７で判断し、自機かマスターである場合はステップＳ８で能動式の照明制御処理を行って前記ステップＳ１に戻り、スレーブである場合は直接ステップＳ１に戻る。
【００５９】
図９は、前記ステップＳ６におけるマスター決定処理を詳しく説明するためのフローチャートである。前記ステップＳ１４またはＳ１６での判定の後、ステップＳ１５で保存された新規直接受信ＩＤのそれぞれについて、以下の処理が行われる。ステップＳ２１では規定の単位時間だけ待機し、ステップＳ２２では他の照明器具からの受信電界強度通知信号が受信されたか否かが判断され、受信されない場合はステップＳ２３において、受信時の電界強度に対応（比例）した待機時間が経過したか否かが判断され、経過していない場合には前記ステップＳ２１に戻る。前記受信電界強度通知信号には、発信元（探索返信信号を受信した照明器具）のＩＤおよびその照明器具で受信された探索返信信号を発信したＩＤカードのＩＤに、その照明器具と利用者との距離を表す情報である受信電界強度を示す情報が少なくとも含まれている。そして、前記待機時間は、前記受信時の電界強度が高い程、短く設定される。したがって、この待機時間の間に、他の照明器具、すなわち自機よりも受信電界強度が高く、待機時間が早く終了した照明器具からの受信電界強度通知信号を待受ける。待受けた後、ステップＳ２４において、後述するようにして、同じＩＤカードからの探索返信信号を受信した照明器具間で、受信電界強度の確認処理が行われて処理を終了する。
【００６０】
前記ステップＳ２２において他の照明器具からの受信電界強度通知信号が受信されると、ステップＳ２５に移り、その受信した受信電界強度通知信号におけるＩＤカードのＩＤが現在自機で処理中の新規直接受信ＩＤと一致するか否かが判断され、一致しない場合には、ステップＳ２６で後述する別途通信内容対応処理として処理し、前記ステップＳ２３に移って待機を継続する。これに対して、受信した受信電界強度通知信号中のＩＤカードのＩＤが現在自機で処理中の新規直接受信ＩＤと一致するとステップＳ２７に移り、受信した受信電界強度通知信号が表す受信電界強度が自機の受信した受信電界強度よりも高いか否かが判断され、そうである場合（前記のように、通常、受信電界強度が高い程、待機時間が短く設定されるので、殆どのケース）は、自機がマスターの権利を持たないものと判断してステップＳ２８に移り、該当する新規直接受信ＩＤを削除し、処理を終了する。これに対して、前記ステップＳ２７において、受信した受信電界強度通知信号が表す受信電界強度が自機の受信した受信電界強度よりも低い場合、自機がマスターとなる可能性があり、前記ステップＳ２４の受信電界強度の確認処理に移る。
【００６１】
図１０は、前記ステップＳ２４における受信電界強度の確認処理を詳しく説明するためのフローチャートである。ステップＳ３１では、自機のＩＤおよび探索返信信号を受信したＩＤカードのＩＤに、受信電界強度を示す情報を含む受信電界強度通知信号を、他の照明器具に向けて一斉にブロードキャスト送信する。ステップＳ３２では、他の照明器具からの受信電界強度通知信号を受信しているか否かが判断され、受信していないとき、すなわち前記図９において、ステップＳ２１〜Ｓ２３を繰返したときにはステップＳ３３に移り、前記待機時間が経過したか否かが判断され、経過していないときには前記ステップＳ３２に戻って処理を繰返し、経過するとステップＳ３４に移って、該当する新規直接受信ＩＤについては自機がマスターであると判断して処理を終了する。
【００６２】
一方、前記ステップＳ３２において、他の照明器具からの受信電界強度通知信号を受信している場合にはステップＳ３５に移り、受信した受信電界強度通知信号中のＩＤが現在自機で処理中の新規直接受信ＩＤと一致するか否かが判断され、一致するとステップＳ３６に移り、受信した受信電界強度通知信号が表す受信電界強度が自機の受信した受信電界強度よりも高いか否かが判断され、そうでない場合は、自機がマスターとなる可能性が高いと判断し、前記ステップＳ３３，Ｓ３２で待機した後、前記ステップＳ３４に移り、そうである場合は、自機がマスターの権利を持たないものと判断してステップＳ３７に移り、該当する新規直接受信ＩＤを削除し、処理を終了する。
【００６３】
また、前記ステップＳ３５において、受信した受信電界強度通知信号のＩＤが現在自機で処理中の新規直接受信ＩＤと一致しない場合には、ステップＳ３８で後述する別途通信内容対応処理として処理し、前記ステップＳ３３に移って待機を継続する。こうして、受信電界強度通知信号を発信した照明器具が、一定時間他の照明器具からの受信電界強度通知信号を受信しない、あるいは自機よりも高い受信電界強度を持つという応答がない場合には、自機がマスターとなって、以下に示すような調光指示信号を、前記照明制御範囲内の他の照明器具へ届くように、通信部２７を通じて順次伝送させてゆき、前記受信電界強度が最も高い照明器具以外はスレーブとなって、前記通信部２７を介して伝送されてきた調光指示信号に応答して調光制御を行う。
【００６４】
図１１は、前記ステップＳ８における能動式の照明制御処理を詳しく説明するためのフローチャートである。前記ステップＳ７で自機がマスターであると判定されると、処理部２２は、ステップＳ４１で、前記照明制御部２３を通じて照明手段３を１００％フル点灯する。その後、前記表１で示すような自機の記憶部２１に保持する距離テーブルを参照し、制御対象範囲内となる各照明器具に対して、以下の処理を行う。ステップＳ４２では、前記調光指示信号を送信し、ステップＳ４３では該当する照明器具から送信した前記調光指示信号に対する調光返信信号を受信したか否かが判断され、受信した場合は処理を終了し、受信しない場合はステップＳ４４に移り、前記調光返信信号に対して予め定められる待ち時間が経過したか否かが判断され、経過していないときには前記ステップＳ４３に戻って待受けを継続する。前記ステップＳ４４において、規定の待ち時間が経過すると、該当する照明器具が故障であると判断して、ステップＳ４５において、その故障であると思われる照明器具のＩＤと、代理制御が必要であることを表す代理制御指示信号をブロードキャスト送信して処理を終了する。前記代理制御指示信号を受信した各照明器具は、代理制御が必要である照明器具のＩＤから、前記距離テーブルを参照し、自機に隣接した器具であり、制御対象範囲内であると、たとえば前記表２で示すように、代理で１００％フル点灯する。
【００６５】
前記ステップＳ３において、他の照明器具からの信号を受信した場合、および前記ステップＳ６においてマスター決定処理を行い、もしくはステップＳ２５，Ｓ３５で受信した受信電界強度通知信号のＩＤが現在自機で処理中の新規直接受信ＩＤと一致しない場合の次の処理タイミングでは、ステップＳ９に移り、図１２で示す通信内容対応処理が行われる。この通信内容対応処理では、自機はＩＤカードからの探索返信信号を受信していない状態（Ｓ１−Ｓ２−Ｓ３）または他の照明器具から受信電界強度通知信号を受信しても、自機は別のＩＤカードからの探索返信信号を受信している状態（Ｓ２５−Ｓ２６，Ｓ３５−Ｓ３８）であるので、ステップＳ５１では受信した信号は前記受信電界強度通知信号であるか否かが判断され、そうであるときにはステップＳ５２で受信した信号の内容を破棄して処理を終了し、そうでないときにはさらにステップＳ５３に移って、調光指示信号であるか否かが判断される。
【００６６】
前記ステップＳ５３において、調光指示信号である場合はステップＳ５４に移って後述する受動式の照明制御処理を行って処理を終了し、調光指示信号でない場合はさらにステップＳ５５に移って、代理制御指示信号であるか否かが判断される。代理制御指示信号である場合はステップＳ５６に移って後述する代理制御処理を行って処理を終了し、代理制御指示信号でない場合は前記ステップＳ５２で受信した信号の内容を破棄して処理を終了する。
【００６７】
図１３は、前記ステップＳ５４における受動式の照明制御処理を詳しく説明するためのフローチャートである。ステップＳ６１では、受信した調光指示信号の残距離に応じて、たとえば前記表２で示すような輝度で、照明手段３を調光制御する。その後、前記距離テーブルを参照し、受信した調光指示信号の送信元を除いた他の照明器具に対して、以下の処理をそれぞれ行う。先ず、ステップＳ６２では、前記調光指示信号の残距離から、送信元と自機との間の距離を減算して、新たな残距離を求める。ステップＳ６３では、その新たな残距離が０より小さいか否かが判断され、そうであるときには自機が前記照明制御範囲の最終段の照明器具であると判断し、他の照明器具への調光指示信号の送信を行わずに処理を終了し、そうでないときには自機が前記照明制御範囲の最終段の照明器具でない可能性があると判断し、前記ステップＳ４２〜Ｓ４５と同様に、ステップＳ６４〜Ｓ６７において、代理制御信号の場合も含めて、調光指示信号を送信する。
【００６８】
一方、図１４は、前記ステップＳ５６における代理制御処理を詳しく説明するためのフローチャートである。ステップＳ７１では、受信した代理制御指示信号による代理制御対象器具のＩＤが自機の距離テーブルの制御対象範囲内にあるか否かが判断され、範囲内にある場合にはステップＳ７２で１００％フル点灯して処理を終了し、範囲内にない場合には直接処理を終了する。
【００６９】
さらにまた、前記ステップＳ２において、現在調光制御中のＩＤの中に、制御終了対象ＩＤがある場合はステップＳ１０に移り、自機が保持する制御終了対象ＩＤについて、図１５で示すような制御終了処理が行われる。すなわち、ステップＳ８１で、照明制御部２３を通じて照明手段３を消灯する。
【００７０】
上述のように構成される照明制御システムによる具体的な調光制御動作を、図１６および図１７を用いて説明する。図１６および図１７は、前述の図６で示す器具配列で、Ｃ１のＩＤを有するＩＤカードを携帯した利用者が、照明器具Ｌ１に最も接近して存在する場合を示している。
【００７１】
図１６は、各照明器具Ｌが正常な状態を示しており、ＩＤカードからの探索返信信号は、照明器具Ｌ１，Ｌ２，Ｌ４，Ｌ５で受信される。この場合、照明器具Ｌ１が最高の受信電界強度を持ち、照明器具Ｌ２，Ｌ４が中程度、照明器具Ｌ５が、受信されたと判定できる閾値をかろうじて上回る程度の電界強度で受信することになる。残余の照明器具Ｌ３，Ｌ６〜Ｌ９は、受信電界強度が前記閾値を超えるに至らない。
【００７２】
そして、ステップＳ２４の受信電界強度の確認処理やステップＳ６のマスター決定処理等によって、照明器具Ｌ１がマスターとなって１００％点灯するとともに、通信部２７から前記表１で示す制御対象範囲の照明器具Ｌ２，Ｌ４に、照明制御範囲を表す残距離が４ｍの調光指示信号を送信する。これによって、スレーブとなる照明器具Ｌ２およびＬ４は、前記残距離から、前記距離テーブルを参照して、自機と照明器具Ｌ１との間の距離を減算し、その更新後の残距離が２ｍであることから、前記表２から７０％点灯するとともに、前記調光指示信号の送信元である照明器具Ｌ１を除き、隣接する照明器具Ｌ３およびＬ５，Ｌ７に、残距離の値が２ｍの調光指示信号を転送する。これによって、それらの照明器具Ｌ３；Ｌ５，Ｌ７も３０％で点灯するけれども、そこで前記残距離の値が０ｍとなって調光指示信号の転送が行われず、残余の照明器具Ｌ６，Ｌ８，Ｌ９は消灯したままとなる。このようにして、図１６の状態となる。以降、各照明器具Ｌは定期的に探索信号を発信し、それに対するＣ１のＩＤカードからの探索返信信号の受信状態が変化しない限り、現在の調光状態を保持し続ける。
【００７３】
これに対して、図１７は、照明器具Ｌ２が故障している状態を示しており、ＩＤカードからの探索返信信号は、照明器具Ｌ１，Ｌ４，Ｌ５で受信され、前記照明器具Ｌ１がマスターとなって１００％点灯するとともに、前記調光指示信号の伝送に問題の生じなかった照明器具Ｌ４，Ｌ５，Ｌ７は、前記図１６の場合と同様に、それぞれ７０％、３０％、３０％で点灯する。しかしながら、照明器具Ｌ２からの前記調光指示信号に対する調光返信信号が受信できなかった照明器具Ｌ１は、前記ＩＤカードのＩＤのＣ１に、照明器具Ｌ２のＩＤのＩＬ２を付して、代理制御指示信号をブロードキャスト送信する。これを受信した照明器具の内、表１で示すように、照明器具Ｌ３，Ｌ５は自機の制御対象範囲内に前記照明器具Ｌ２が含まれているので、本来は前記の３０％点灯のところ、代理で１００％点灯する。残余の照明器具Ｌ４，Ｌ６，Ｌ７，Ｌ８，Ｌ９は、自機の制御対象範囲に前記照明器具Ｌ２が含まれていないので、状態は変化せず、照明器具Ｌ４，Ｌ７は、それぞれ７０％、３０％点灯のままであり、照明器具Ｌ６，Ｌ８，Ｌ９は、消灯したままである。このようにして、図１７の状態となる。
【００７４】
以上のように、本発明の照明制御システムでは、利用者の存在の有無を認識して、自動的に照明手段３の点灯および調光制御を行うにあたって、照明器具Ｌ自体またはその近傍に照明制御装置４を設け、この照明制御装置４からの探索信号に応答して、利用者が携帯するＩＤカード２が探索返信信号を返信している間は、前記照明制御装置４は照明手段３を点灯および調光制御するので、利用者の動きがなくても、また利用者が意識することなく、該利用者の存在の有無を照明器具Ｌ側で認識でき、利用者付近の比較的狭小な範囲を、適切に点灯および調光制御することができる。このようにして、利用者の位置に応じた調光を自動的に実施し、利便性の向上および省エネルギ化の両立を簡易に実現することができる。また、利用者の比較的近隣にある照明器具Ｌ２が故障している中で、周囲の照明器具Ｌ３，Ｌ５がそれを補完するように点灯制御することで、利便性の低下を最低限に留めることができる。
【００７５】
なお、上述の説明では、利用者までの距離に応じて照度を制御（調光）することまで行っているけれども、点灯／消灯のみの制御だけでもよく、または常時点灯状態で、利用者が存在する場合には照度をアップする等の調光制御のみを行うようにしてもよい。
【００７６】
［実施の形態２］
図１８は、本発明の実施の他の形態に係る照明制御システムにおけるＩＤカード２ａの外観形状を示す斜視図であり、図１９は、その電気的構成を示すブロック図であり、図２０は、本発明の実施の他の形態に係る照明制御システムにおける照明器具Ｌａの外観形状を示す斜視図であり、図２１は、その照明器具Ｌａにおける照明制御装置４ａの電気的構成を示すブロック図である。これらのＩＤカード２ａおよび照明器具Ｌａは、前述の図２および図３ならびに図４および図５で示すＩＤカード２および照明器具Ｌにそれぞれ類似しており、対応する部分には同一の参照符号を付して示し、その説明を省略する。
【００７７】
注目すべきは、本実施の形態では、ＩＤカード２ａには、押釦スイッチなどから成り、利用者によって操作される操作部３１が設けられるとともに、それに対応して、記憶部１１ａは、該ＩＤカード２ａのＩＤとともに、設定モードとなるべき制御コードを記憶しており、処理部１２ａは、前記操作部３１が操作されると、前記ＩＤに前記制御コードを合わせた設定モード信号を送信することである。また、照明器具Ｌａは、発光ダイオードなどから成る動作状態表示部３２およびゲイン調整部３３を備え、前記設定モード信号を受信すると、処理部２２ａは、記憶部２１ａに格納されている手順に従って、前記動作状態表示部３２を点灯して前記設定モードにおける状態表示を行うとともに、通信部２７を介して他の照明器具との間で送受信を行い、以下の設定を自動的に行うことである。前記設定は、感度設定と器具間の距離設定とから成る。
【００７８】
距離設定モードでは、自機の前後の照明器具間でＩＤ信号の送受信を行って距離を検出し、その検出結果を通信部２７を介して相互にやりとりし、集計することで、前記距離テーブルを作成し、記憶部２１ａに格納する。これによって、施工の際に前記距離テーブルを作成し、設定する作業を行う必要はなく、通常の照明器具と同じ作業で据え付けを行うことができるようになっている。この器具間の距離検出も、たとえば他の照明器具へトリガの信号を送信してから応答の信号が受信されるまでの時間差および／または前記応答の信号の受信電界強度レベルなどから行うことができる。この距離設定モードのためには、前記通信部２７は、近距離無線通信を用いることが好ましい。
【００７９】
また、感度設定モードでは、受信電界強度のデータをやりとりし、前記ゲイン調整部３３によって、電波受信部２５ａの受信感度を調整する。前記受信感度は、前記電波受信部２５ａにおけるアンプのゲインや、受信した返信信号からＩＤデータを復号化し、前記処理部２２ａへ出力するか否かを決定する前記閾値を調整することで実現することができる。これによって、利用者が存在する場合に、その利用者に最も近接した照明器具を中心として、予め定める前記のような狭小な範囲の照明器具で調光制御が行われるようにするにあたって、前記電波受信部２５ａにおけるゲインおよび／または閾値を、自動的に適正値に調整することができ、調整作業を容易に行うことができるようになっている。
【００８０】
前記操作部３１は、利用者の押下によって接触する電極部と、そのカバーから構成されており、利用者がカバー部分を押下することで電極が接触し、通電するようになる。処理部１２ａがこれを定期的に読取り、電圧変化によって入力があったことを検知し、前記設定モードへモード移行する。前記操作部３１が操作されないときは、このＩＤカード２ａは、前述のＩＤカード２と同様に、探索信号に応答して探索返信信号を返信し、前述の点灯および調光制御を実現させるだけであるが、前記操作部３１が操作されると、上述のようにＩＤに制御コードを合わせた設定モード信号を送信し、照明器具Ｌａを設定モードへモード移行させる。
【００８１】
このＩＤカード２ａは、前述のように電源を備えておらず、したがって操作部３１が押下されている状態で電波受信部１５に探索信号の受信があった場合、および探索信号の受信がある状態で操作部３１が押下されると、送信部１４を通じて、前記設定モード信号を送信する。しかしながら、キャパシタなどの２次電池となる手段を備えておき、前記探索信号が受信されない状態で、操作部３１が押下されたことを記憶しておき、その後一定時間以内に電波受信部１５に探索信号の受信があった場合に、前記設定モード信号を返信する構成としてもよい。
【００８２】
以下に、本実施の形態の設定動作の概要を説明する。
【００８３】
ＩＤカード２ａを保持する利用者が、システム中のいずれかの照明器具Ｌａと通信可能な状態になると、探索信号に応答して返信信号を返信し、たとえば前記図１６の状態では、照明器具Ｌ１が最高の受信電界強度を持ち、Ｌ２，Ｌ４が中程度、Ｌ５が閾値をかろうじて上回る程度の電界強度で受信し、残余の照明器具Ｌ３，Ｌ６〜Ｌ９は、受信電界強度が閾値を超えるに至らなかったものとする。これによって、各照明器具Ｌ１，Ｌ２，Ｌ４，Ｌ５は、図９で示すマスター決定処理を行い、照明器具Ｌ１をマスターと決定し、前述のような点灯および調光制御が行われる。
【００８４】
利用者が操作部３１を押下すると、前記設定モード信号が送信部され、照明器具Ｌ１は前記制御コードを受信したことから、利用者の指示が設定モード移行であると判断し、他の照明器具Ｌ２〜Ｌ９に、先ず距離テーブル設定モードへの移行指示を送信する。距離テーブル設定モード移行指示を受信した各照明器具Ｌ２〜Ｌ９およびこの照明器具Ｌ１は、それぞれの記憶部２１ａに保存されている距離テーブルを初期化する。あるいは、設定モード用の一時的領域を記憶部２１ａに確保してもよい。
【００８５】
各照明器具Ｌ１〜Ｌ９は、距離テーブル設定モード移行から一定時間待機した後、距離確認信号を送信部２４から一定時間送信する。                               さらに各照明器具Ｌ１〜Ｌ９は、電波受信部２５ａで受信した距離確認信号中の発信元ＩＤと、その信号の受信電界強度の値とを、記憶部２１ａ内の距離テーブルに記録する。これを、予め規定された距離確認信号受信期間中実施する。距離確認信号受信期間を終了し、距離テーブルへの記録が総て終わった照明器具は、自機の動作状態表示部３２を点滅させる。これによって、利用者に距離テーブルの設定が正常に終了したことを報知する。また、点滅パターンを、正常に設定できた場合と変化させることによって、設定の異常を利用者に通知するようにしてもよい。
【００８６】
利用者は、各照明器具Ｌ１〜Ｌ９の動作状態表示部３２の点滅を確認し、再度自身が所持するＩＤカード２ａの操作部３１を押下する。処理部１２ａがこれを検知し、この後一定時間以内に探索信号が受信された場合には、前記設定モード信号を送信する。
【００８７】
受信できた照明器具（上述の場合はＬ１，Ｌ２，Ｌ４，Ｌ５）は、この時自機がマスターであれば、返信信号を送信（上述の場合はＬ１）するとともに、モード移行指示であると判断し、他の全照明器具（上述の場合はＬ２〜Ｌ９）に、次に感度設定モードへの移行指示をブロードキャスト送信する。
【００８８】
これによってモード移行した各照明器具Ｌ１〜Ｌ９は、自機の動作状態表示部３２を消灯し、正常にモード移行したことを示す。また、モード移行した照明器具Ｌ１〜Ｌ９は、送信部２４から探索信号を定期的に送信する。利用者は各照明器具Ｌ１〜Ｌ９の動作状態表示部３２を確認した後、該利用者が定常的にいるであろう場所（オフィスの座席の位置など）に移動し、その場所で再びＩＤカード２ａの操作部３１を押下する。この後、一定時間以内に照明器具Ｌ１〜Ｌ９から探索信号が送信されてきた場合には、探索返信信号を送信する。この探索返信信号に対し、たとえば照明器具Ｌ２が最高の受信電界強度を持ち、照明器具Ｌ１，Ｌ３，Ｌ５が中程度、照明器具Ｌ４，Ｌ６が閾値をかろうじて上回る程度の受信電界強度で受信したものとする。それ以外の照明器具Ｌ７〜Ｌ９は、受信電界強度が閾値を超えるに至らなかったものとする。
【００８９】
前記探索返信信号を受信した照明器具Ｌ１〜Ｌ６は、前記図９と同様の手順でマスターを決定する。ここでは、照明器具Ｌ２がマスターとなる。その照明器具Ｌ２は、通信部２７を通じて、全照明器具Ｌ１，Ｌ３〜Ｌ９に対して受信電界強度探索信号を送信する。これに応答して、各照明器具の内、ＩＤカード２ａからの探索返信信号を受信した照明器具Ｌ１，Ｌ３〜Ｌ６は、その受信電界強度に比例した待機時間の後、送信元の照明器具Ｌ２に対して受信電界強度返信信号を送信する。受信した照明器具Ｌ２は、受信電界強度返信信号を返信してきた照明器具Ｌ１，Ｌ３〜Ｌ６の数を計測する。その結果、予め定められた標準反応端末数（ここでは３とする）より返信数（ここでは５となる）が多いので、各照明器具Ｌ１，Ｌ３〜Ｌ９に対して受信感度低下指示信号をブロードキャスト送信する。逆に標準反応端末数より返信数が少ない場合には、各照明器具Ｌ１，Ｌ３〜Ｌ９に対して受信感度向上指示信号をブロードキャスト送信する。
【００９０】
前記受信感度低下指示信号または受信感度向上指示信号の送信から一定時間待機した後、照明器具Ｌ２は再び受信電界強度探索信号を送信する。これを受信した照明器具Ｌ１，Ｌ３〜Ｌ９は、先の受信感度向上指示／受信感度低下指示に従い、電波受信部２５ａのゲインおよび／または閾値を調整した状態で、ＩＤカード２ａからの探索返信信号の受信電界強度を判断し、閾値を超える場合のみ、照明器具Ｌ２へ受信電界強度返信信号を送信する。受信した照明器具Ｌ２は、受信電界強度返信信号を返信してきた照明器具の数を再び計測する。このようにして、最終的に、受信電界強度返信信号を返信してきた照明器具の数が前記標準反応端末数と一致するように感度調整が行われる。あるいは、受信電界強度返信信号に受信電界強度のデータを加え、照明器具Ｌ２が受信電界強度と照明器具ＩＤとのテーブルを持つことで、照明器具Ｌ２が受信電界強度の強弱順に各照明器具Ｌ１，Ｌ３〜Ｌ９に受信感度向上指示／受信感度低下指示を与えるようにしてもよい。もしくは、照明器具Ｌ２は受信電界強度返信信号を送信してきた照明器具の数と標準反応端末数との差によって、受信感度の向上／低下幅を他の照明器具Ｌ１，Ｌ３〜Ｌ９に指示するようにしてもよい。
【００９１】
こうして、標準反応端末数と受信強度返信信号の返信数とが一致したら、照明器具Ｌ２は各照明器具Ｌ１，Ｌ３〜Ｌ９に受信感度固定通知信号を送信する。受信感度固定通知信号を受信した照明器具Ｌ１，Ｌ３〜Ｌ９は、現在の受信感度（ゲインおよび／または閾値）を記憶部２１ａに記憶する。記憶完了した照明器具Ｌ１，Ｌ３〜Ｌ９は、各々の動作状態表示部３２を点滅させ、設定が完了したことを利用者に通知する。
【００９２】
引続き、受信感度の設定を行いたい場合には、利用者は、その場所に移動してＩＤカード２ａの操作部３１を押下することで、同様の設定が行われる。また、感度設定を終了すると判断したら、何も操作を行わず、一定時間システムを放置することで、システム上の各照明器具Ｌ１〜Ｌ９は、設定を完了した状態のままの設定で、自動的に通常状態に復帰する。または、ＩＤカード２ａに操作部３１とは別個にスイッチを設けて、それを押下することで通常モードに復帰させてもよく、前記操作部３１を規定時間押し続けることで通常モードへ復帰するようにしてもよい。通常モードへ復帰すると、前記動作状態表示部３２は消灯する。上述の説明では、ＩＤカード２ａからの設定モード信号を受信すると設定モードへ移行したけれども、専用のＩＤカード２ａを設けず、一部または全部の照明器具Ｌａに上述の距離設定および感度設定を行うスイッチなどを設けるようにしてもよい。
【００９３】
図２２〜図３０は、上述の動作をさらに詳しく説明するためのフローチャートである。これらの図を用いて、以下に、本実施の形態における動作を詳しく説明する。
【００９４】
先ず、図２２は、前記処理部２２ａによる照明器具Ｌａの全体の制御動作を説明するものである。この図２２で示す動作は、前述の図７で示す動作に類似し、対応する部分には同一のステップ番号を付して示し、その説明を省略する。注目すべきは、この図２２の動作では、ステップＳ６でマスター決定処理を行い、ステップＳ７で自機かマスターであると判断した場合は、ステップＳ１０１で設定モード信号が受信されたか否かが判断され、受信されない場合は前記ステップＳ８に移り、能動式の照明制御処理を行って前記ステップＳ１に戻り、受信された場合はステップＳ１０２に移り、後述するような各種の設定処理を行って前記ステップＳ１に戻る。
【００９５】
図２３は、前記ステップＳ１０２における各種の設定処理を詳しく説明するためのフローチャートである。ステップＳ１１１では、先ず距離テーブルの設定処理が行われ、ステップＳ１１２では再びＩＤカード２ａから設定モード信号が受信されたか否かが判断され、受信されないときはステップＳ１１３で、前記距離テーブル作成から規定の処理移行待ち時間が経過したか否かが判断され、経過していないときには前記ステップＳ１１２に戻って設定モード信号を待受けし、経過するとステップＳ１１４に移って後述する通常状態復帰処理を行って処理を終了する。
【００９６】
前記ステップＳ１１２において、再びＩＤカード２ａから設定モード信号が受信されるとステップＳ１１５に移り、受信感度の設定処理が行われ、ステップＳ１１６では、再び設定モード信号が受信されないか否かが判断され、受信されると前記ステップＳ１１５に戻って受信感度の設定処理が繰返し行われ、受信されないとステップＳ１１７で、前記受信感度の設定から規定の処理移行待ち時間が経過したか否かが判断され、経過していないときには前記ステップＳ１１６に戻って設定モード信号を待受けし、経過すると前記ステップＳ１１４に移って通常状態復帰処理を行って処理を終了する。
【００９７】
前記図２２で示す処理では、ステップＳ３で他の照明器具からの信号を受信した場合のステップＳ１０３における通信内容対応処理は、前述の図１２で示す処理からさらに細分化され、図２４で示すようになる。ステップＳ１１１で受信内容が判定され、調光指示信号である場合はステップＳ５４に移って受動式の照明制御処理を行い、代理制御指示信号である場合はステップＳ５６に移って代理制御処理を行い、距離テーブル設定モードへのモード移行指示信号である場合はステップＳ１１２で距離テーブル設定を行い、受信感度設定モードへのモード移行指示信号である場合はステップＳ１１３で受信感度の設定を行い、受信感度向上指示信号である場合はステップＳ１１４で受信感度の向上処理を行い、受信感度低下指示信号である場合はステップＳ１１５で受信感度の低下処理を行い、受信感度固定指示信号である場合はステップＳ１１６で受信感度の向上処理を行い、それら以外である場合は前記ステップＳ５２で受信した信号の内容を破棄して処理を終了する。
【００９８】
図２５は、前記ステップＳ１１２における距離テーブルの設定処理を詳しく説明するためのフローチャートでる。ステップＳ１２１では、先ず自機がこの距離テーブル設定処理のマスターであるか否かが判断され、そうである場合にはステップＳ１２２で他の照明器具に、距離テーブル設定モード移行指示信号を送信してステップＳ１２３に移り、そうでない場合は直接ステップＳ１２３に移る。ステップＳ１２３では、記憶部２１ａに記憶されている距離テーブルが初期化される。続いてステップＳ１２４で距離テーブル設定モード移行から一定時間待機した後、ステップＳ１２５から、距離確認信号の送信を開始する。ステップＳ１２６では、規定の送信時間が経過したか否かが判断され、経過しているとステップＳ１２７で距離確認信号の送信を終了した後ステップＳ１２８に移り、経過していないと直接ステップＳ１２８に移る。
【００９９】
ステップＳ１２８では、距離確認信号の規定の受信期間が経過したか否かが判断され、経過していないとステップＳ１２９に移り、他の照明器具からの距離確認信号を受信したか否かが判断され、受信するとステップＳ１３０において、その発信元のＩＤと、その距離確認信号の受信電界強度の値とを、記憶部２１ａ内の距離テーブルに記録して前記ステップＳ１２６に戻り、受信しないと直接ステップＳ１２６に戻り、こうして前記規定の受信期間中、距離確認信号を受信し、受信電界強度、したがって距離のテーブルを作成する。前記規定の受信期間が経過すると前記ステップＳ１２８からステップＳ１３１に移り、動作状態表示部３２を点滅させ、利用者に距離テーブルの設定が正常に終了したことを報知する。
【０１００】
図２６は、前記ステップＳ１１３における受信感度設定処理を詳しく説明するためのフローチャートでる。ステップＳ１４１では、先ず自機がこの受信感度設定処理のマスターであるか否かが判断され、そうである場合にはステップＳ１４２で、他の照明器具に受信感度設定モード移行指示信号を送信してステップＳ１４３に移り、そうでない場合は直接ステップＳ１４３に移る。ステップＳ１４３では、動作状態表示部３２を消灯し、ステップＳ１４４から、ＩＤカード２ａに探索信号の送信を開始する。ステップＳ１４５では、規定の送信時間が経過したか否かが判断され、経過しているとステップＳ１４６で探索信号の送信を終了して処理を終了し、経過していないとステップＳ１４７に移る。
【０１０１】
ステップＳ１４７ではＩＤカード２ａからの探索返信信号を受信したか否かが判断され、受信するとステップＳ１４８において、前述の図９で示すマスター決定処理を行い、ステップＳ１４９において、マスターでない場合は処理を終了し、マスターである場合はステップＳ１５０で、後述する感度調整処理を行い処理を終了する。
【０１０２】
図２７は、前記ステップＳ１５０における受信感度調整処理を詳しく説明するためのフローチャートである。前記ステップＳ１４９において、自機がこの受信感度調整処理のマスターであると判定されているので、ステップＳ１５１では、他の照明器具へ向けて、受信電界強度探索信号をブロードキャスト送信する。ステップＳ１５２では、前記受信電界強度探索信号に対する受信電界強度返信信号の規定の待受け時間が経過したか否かが判断され、経過していないときにはステップＳ１５３で引き続き待受けを行い、経過するとステップＳ１５４に移る。
【０１０３】
ステップＳ１５４では、受信電界強度返信信号を返信してきた照明器具の数をカウントし、ステップＳ１５５では、そのカウント値が前記標準反応端末数と比較され、一致しているときにはステップＳ１５６で各照明器具に対して受信感度固定指示信号をブロードキャスト送信して処理を終了し、返信数が少ない場合にはステップＳ１５７で受信感度向上指示信号をブロードキャスト送信した後、前記ステップＳ１５１に戻って上記の感度調整処理を繰返し、返信数が多い場合にはステップＳ１５８で受信感度低下指示信号をブロードキャスト送信した後、前記ステップＳ１５１に戻って上記の感度調整処理を繰返す。
【０１０４】
図２８は、前記ステップＳ１１４における受信感度向上処理を説明するためのフローチャートである。ステップＳ１６１では電波受信部２５ａの受信感度が既に最高に達しているか否かが判断され、そうでないときいはステップＳ１６２でゲイン調整部３３を制御し、前記電波受信部２５ａの受信感度を向上して処理を終了し、そうであるときには感度調整を行わずに直接処理を終了する。
【０１０５】
図２９は、前記ステップＳ１１５における受信感度低下処理を説明するためのフローチャートである。ステップＳ１７１では電波受信部２５ａの受信感度が既に最低に達しているか否かが判断され、そうでないときいはステップＳ１７２でゲイン調整部３３を制御し、前記電波受信部２５ａの受信感度を低下して処理を終了し、そうであるときには感度調整を行わずに直接処理を終了する。
【０１０６】
図３０は、前記ステップＳ１１６における受信感度固定処理を説明するためのフローチャートである。ステップＳ１８１で、それまで調整してきた電波受信部２５ａの受信感度が固定された後、処理を終了する。
【０１０７】
このようにして、距離設定モードでは、通信部２７による距離確認信号の受信までの時間や受信電界強度などから自機の前後の照明器具までの距離を検出し、その検出結果を該通信部２７を介して相互にやりとりすることで前記距離テーブルを作成するので、施工の際に前記距離テーブルを作成し、設定する作業を行う必要はなく、通常の照明器具と同じ作業で据え付けを行うことができる。
【０１０８】
また、感度設定モードでは、電波受信部２５ａによるＩＤカード２ａからの探索返信信号の受信電界強度を前記通信部２７を通じて各照明器具Ｌａ間で相互に送受信させ、予め定める標準反応端末数で受信されるように前記電波受信部２５ａにおけるゲインと閾値との少なくとも一方を調整するので、前記ゲインおよび／または閾値を自動的に適正値に調整することができ、調整作業が容易である。
【０１０９】
［実施の形態３］
図３１は、本発明の実施の他の形態に係る照明制御システムにおける照明器具の照明制御装置４ｂの電気的構成を示すブロック図である。この照明制御装置４ｂは、前述の図５および図２１で示す照明制御装置４，４ａに類似しており、対応する部分には同一の参照符号を付して示し、その説明を省略する。
【０１１０】
本実施の形態では、ＩＤカードには、前記図１８および図１９で示す操作部３１を有するＩＤカード２ａが用いられ、注目すべきは、この照明制御装置４ｂでは、ＩＤカード２ａから、該ＩＤカード２ａのＩＤおよび故障機器検出モードに移行すべきことを表す制御コードから成る故障機器検出モード信号を受信すると、故障判定手段でもある処理部２２ｂは、前記通信部２７を通じて、相互に隣接する照明器具間で通信を行い、通信できないものがあると、その器具数を前記動作表示部３２の点滅表示によって利用者に報知することである。
【０１１１】
具体的には、前記故障機器検出モード信号を受信すると、処理部２２ｂは、前記故障機器検出モードに移行し、他の照明器具へ故障機器検出モード移行信号を送信し、ＩＤカード２ａからの前記故障機器検出モード信号を受信していない照明器具も故障機器検出モードへ移行させる。モード移行から一定時間が経過すると、各照明器具は、自機の距離テーブルに記憶されている各照明器具に対して、生存確認処理を行う。その結果を記憶部２１ｂに記憶してゆき、処理部２２ｂは、図３２で示すように、通信不可器具の台数に応じて、規定の周期内で、動作状態表示部３２を点滅表示させる（前記図６で示すような器具配列の場合は、隣接器具が最も多くてもＬ５の４台なので、最大で４回点滅することになる。勿論、故障が生じている器具がなければ、点滅は行わない。）。
【０１１２】
そして、ＩＤカード２ａを所持した利用者は、各照明器具の動作状態表示部の点滅パターンから、どの機器が通信ができないかを判断する。たとえば、照明器具Ｌ５が通信できない場合、周囲の照明器具Ｌ２，Ｌ４，Ｌ６，Ｌ８が少なくとも１回点滅することで、該照明器具Ｌ５の故障を推定することができる。各照明器具の動作状態表示部３２の確認を完了したと判断したら、利用者は操作部３１を押下すると、前記ＩＤおよび制御コードから成る故障機器検出終了信号を送信し、これを受信した照明器具は、通常モード移行信号を発信し、受信した各照明器具は通常モードに復帰する。
【０１１３】
図３３は、上述の故障機器検出処理を詳しく説明するためのフローチャートである。処理部２２ｂは、前記表１で示すような自機の記憶部２１ｂに保持する距離テーブルを参照し、制御対象範囲内となる各照明器具に対して、以下の処理を行う。ステップＳ１９１では、前記生存確認信号を送信し、ステップＳ１９２では該当する照明器具から送信した前記生存確認信号に対する生存確認返信信号を受信したか否かが判断され、受信した場合は処理を終了し、受信しない場合はステップＳ１９３に移り、前記生存確認返信信号に対して予め定められる待ち時間が経過したか否かが判断され、経過していないときには前記ステップＳ１９２に戻って待受けを継続する。前記ステップＳ１９３において、規定の待ち時間が経過すると、該当する照明器具が故障であると判断して、ステップＳ１９４において、その故障であると思われる照明器具のＩＤを記憶し、失敗数としてカウントして処理を終了する。
【０１１４】
このようにして、利用者が改めて通信経路を指定する必要なく、通信テストを行うことができ、メンテナンス作業の負担を軽減することができる。
【０１１５】
好ましくは、通信できなかった照明器具のＩＤを他の照明器具間で通信し、前記距離テーブルに照合することで、故障が発生している照明器具を特定するようにしてもよい。また、前記ＩＤカード２ａからの故障機器検出モード信号によるのではなく、予め定める時間間隔で、前記器具間の通信を行い、故障をシステム側で自己診断するようにしてもよい。さらにまた、前記照明制御部２３に関して故障検出回路を設け、放電等の断線や外れを検出するようにしてもよい。また、故障判定結果の出力は、たとえば専用の読出しツールを特定の照明器具の処理部２２ｂに接続することで行われてもよく、またランプや放電灯などの照明手段３自体を点灯することで行われてもよい。
【０１１６】
ここで、特開２００２−２８９３６９号公報には、コントローラからの特定小電力無線によって制御信号を親器具で受信し、さらに微弱無線で子器具へ転送することで、簡単な設置工事で、複数の照明器具を連動して制御できるようにした照明装置が提案されている。したがって、器具間の通信は開示されているけれども、本発明のように電界強度や距離情報を通信することによる格別の作用効果は到底期待できないものである。
【０１１７】
また、前記特開平７−１２２３６８号公報には、照明器具側の総ての受信機が応答すべきコードをリモコンから送信すると、照明器具は探索信号を送信し、リモコンがそれに応答することで、行方が分からなくなったリモコンの所在を知らせることも開示されている。
【０１１８】
したがって、探索信号は開示されているけれども、本発明のようにそれに応答した探索返信信号を利用して、利用者の真上付近の照明器具を中心とした段階的な調光を実施するという格別な作用効果も到底期待できないものである。
【図面の簡単な説明】
【０１１９】
【図１】本発明の実施の一形態に係る照明制御システムの電気的構成を示すブロック図である。
【図２】本発明の実施の一形態のＩＤカードの外観形状を示す斜視図である。
【図３】図２で示すＩＤカードの電気的構成を示すブロック図である。
【図４】本発明の実施の一形態の照明器具の外観形状を示す斜視図である。
【図５】図４で示す照明器具における照明制御装置の電気的構成を示すブロック図である。
【図６】複数の照明器具の配列の一例を示す図である。
【図７】本発明の実施の一形態による照明器具の全体の制御動作を示すフローチャートである。
【図８】図７の処理におけるＩＤカードの探索処理を詳しく示すフローチャートである。
【図９】図７の処理におけるマスター決定処理を詳しく説明するためのフローチャートである。
【図１０】図９の処理における受信電界強度の確認処理を詳しく説明するためのフローチャートである。
【図１１】図７の処理における能動式の照明制御処理を詳しく説明するためのフローチャートである。
【図１２】図７の処理における通信内容対応処理を詳しく説明するためのフローチャートである。
【図１３】図１２の処理における受動式の照明制御処理を詳しく説明するためのフローチャートである。
【図１４】図１２の処理における代理制御処理を詳しく説明するためのフローチャートである。
【図１５】図７の処理における制御終了処理を詳しく説明するためのフローチャートである。
【図１６】上述のように構成される照明制御システムによる具体的な調光制御動作を説明するための図であり、総ての照明器具が正常な場合の図である。
【図１７】上述のように構成される照明制御システムによる具体的な調光制御動作を説明するための図であり、１台の照明器具に故障が生じている場合の図である。
【図１８】本発明の実施の他の形態のＩＤカードの外観形状を示す斜視図である。
【図１９】図１８で示すＩＤカードの電気的構成を示すブロック図である。
【図２０】本発明の実施の他の形態の照明器具の外観形状を示す斜視図である。
【図２１】図２０で示す照明器具における照明制御装置の電気的構成を示すブロック図である。
【図２２】本発明の実施の他の形態による照明器具の全体の制御動作を示すフローチャートである。
【図２３】図２２の処理における各種の設定処理を詳しく説明するためのフローチャートである。
【図２４】図２２の処理における通信内容対応処理を詳しく説明するためのフローチャートである。
【図２５】図２４の処理における距離テーブル設定処理を詳しく説明するためのフローチャートである。
【図２６】図２４の処理における受信感度設定処理を詳しく説明するためのフローチャートである。
【図２７】図２６の処理における受信感度調整処理を詳しく説明するためのフローチャートである。
【図２８】図２４の処理における受信感度向上処理を詳しく説明するためのフローチャートである。
【図２９】図２４の処理における受信感度低下処理を詳しく説明するためのフローチャートである。
【図３０】図２４の処理における受信感度固定処理を詳しく説明するためのフローチャートである。
【図３１】本発明の実施の他の形態の照明器具における照明制御装置の電気的構成を示すブロック図である。
【図３２】本発明の実施の他の形態による故障機器検出モードでの検出結果の出力動作を示す波形図である。
【図３３】本発明の実施の他の形態による故障機器検出処理を詳しく説明するためのフローチャートである。
【符号の説明】
【０１２０】
１    通信路
２，２ａ  ＩＤカード（識別装置）
３    照明手段
４，４ａ，４ｂ    照明制御装置（受信制御手段）
１１，１１ａ    記憶部（第１の記憶手段）
１２，１２ａ    処理部
１４    送信部（第１の送信手段）
１５    電波受信部（第１の受信手段）
２１，２１ａ，２１ｂ    記憶部（第２の記憶手段）
２２，２２ａ，２２ｂ    処理部（照明制御手段）
２３    照明制御部（照明制御手段）
２４    送信部（第２の送信手段）
２５，２５ａ    電波受信部（第２の受信手段）
２７    通信部（器具間通信手段）
２８    人感センサ
３１    操作部
３２    動作状態表示部
３３    ゲイン調整部
Ｌ；Ｌａ；Ｌ１〜Ｌ９    照明器具
【図１】
2005259429.tif 000005
【図２】
2005259429.tif 000006
【図３】
2005259429.tif 000007
【図４】
2005259429.tif 000008
【図５】
2005259429.tif 000009
【図６】
2005259429.tif 000010
【図７】
2005259429.tif 000011
【図８】
2005259429.tif 000012
【図９】
2005259429.tif 000013
【図１０】
2005259429.tif 000014
【図１１】
2005259429.tif 000015
【図１２】
2005259429.tif 000016
【図１３】
2005259429.tif 000017
【図１４】
2005259429.tif 000018
【図１５】
2005259429.tif 000019
【図１６】
2005259429.tif 000020
【図１７】
2005259429.tif 000021
【図１８】
2005259429.tif 000022
【図１９】
2005259429.tif 000023
【図２０】
2005259429.tif 000024
【図２１】
2005259429.tif 000025
【図２２】
2005259429.tif 000026
【図２３】
2005259429.tif 000027
【図２４】
2005259429.tif 000028
【図２５】
2005259429.tif 000029
【図２６】
2005259429.tif 000030
【図２７】
2005259429.tif 000031
【図２８】
2005259429.tif 000032
【図２９】
2005259429.tif 000033
【図３０】
2005259429.tif 000034
【図３１】
2005259429.tif 000035
【図３２】
2005259429.tif 000036
【図３３】
2005259429.tif 000037